(57)【要約】      （修正有）【課題】カットコーンに装着されている発光灯の挿入部の突起部の位置を外側から見て知ることができ、最短の回動動作によってカットコーンと発光灯との素早い分離作業を行なうことができるカットコーン用の発光灯の提供。【解決手段】カットコーン１０の頂面部１１には、円形の透孔部１２と切欠部１３が形成されている。発光灯２０は透孔部１２に嵌入可能な円柱状の挿入部２１と、頂面部１１上に載置される露出部２２とによって構成されている。露出部２２と挿入部２１には、発光部２１ａ，２２ａがそれぞれ設けられている。挿入部２１の側面には切欠部１３に嵌入可能な突起部２１ｂが形成されており、突起部２１ｂの真上の位置にあたる位置の露出部２２の側面には目印部２２ｂが配設されている。【選択図】図２
0003198834.tif 000002
【実用新案登録請求の範囲】
【請求項１】
道路の工事現場等に配置される円錐台形状のカットコーンであって、その頂面部の中央に円形の透孔部を有し且つ該透孔部の周囲の一部に切欠部が形成されているカットコーンの上部に装着される発光体および電源を内蔵したカットコーン用の発光灯において、
該発光灯は、前記カットコーンの透孔部に嵌入可能な円柱状の挿入部と、該挿入部の上部に配設された当該円柱状の挿入部の径よりも大きい径を有する円柱状の露出部とから構成され、
前記露出部または／および前記挿入部には外部に投光可能な発光部が配設され、
前記円柱状の挿入部の側面の一部には前記カットコーンの切欠部に嵌入可能な突起部が形成され、
前記発光灯を前記カットコーンに装着した際、前記挿入部の突起部の真上の位置にあたる位置の前記露出部の側面には目印部が配設されていることを特徴とするカットコーン用の発光灯。
【請求項２】
前記目印部は、前記露出部の側面に配設された突起部によって形成されていることを特徴とする請求項１に記載のカットコーン用の発光灯。
【考案の詳細な説明】
【技術分野】
【０００１】
本考案は、道路の工事現場等に配置される円錐台形状のカットコーンの上部に装着するカットコーン用の発光灯に関するものである。
【背景技術】
【０００２】
従来から、夜間の道路工事現場やトンネル内の工事現場などの暗い工事現場に配置する円錐台形状のカットコーンには、図５に示すような発光灯２０をカットコーン１０の上部に装着して、カットコーン１０の視認性を高めている。
【０００３】
このような発光灯２０は、図６に示したような円形の透孔部１２と切欠部１３とが形成されているカットコーン１０の頂面部１１に装着されている。
【０００４】
発光灯２０は、透孔部１２に嵌入可能な円柱状の挿入部２１と、この円柱状の挿入部２１の径よりも大きな径を有する円柱状の露出部２２とによって構成されている。露出部２２の上端側と挿入部２１の下端側とには、外部に向かって投光する発光部２１ａ，２２ａがそれぞれ配設されている。
【０００５】
発光灯２０は、その内部に発光体であるＬＥＤと電源である電池とＬＥＤの発光を制御する回路部を具えており、発光体であるＬＥＤは、回路部の制御に従って、点灯または点滅して、その光は発光部２１ａ，２２ａから外部に投光される。
【０００６】
このような発光灯２０をカットコーン１０の上部に装着する場合には、図６に示したように、挿入部２１の側面に形成されている突起部２１ｂの位置を、カットコーン１０の切欠部１３の位置に合わせた状態で挿入部２１を透孔部１２に挿入して、露出部２２を頂面部１１上に載置する。
【０００７】
このように露出部２２を頂面部１１上に載置した状態で、発光灯２０を時計回り又は反時計回りに少し回転させておけば、切欠部１３と突起部２１ｂとが上下方向の直線上に位置しないので、発光灯２０を単に上方に引き上げても発光灯２０はカットコーンから外れない。
【０００８】
このような切欠部１３と突起部２１ｂとが設けられているのは、車や人がカットコーン１０に接触してカットコーン１０が転倒した場合でも、カットコーン１０から発光灯２０が外れて転がり紛失してしまわないようにするためや、通行人の悪戯などによって発光灯２０が外されてしまわないようにするためである。
【０００９】
従って、カットコーン１０や発光灯２０の設置作業員は、発光灯２０をカットコーン１０から外す場合には、図７に示すように、発光灯２０を少し持ち上げて、切欠部１３を視認し、この切欠部１３の下の位置に突起部２１ｂが来るように、発光灯２０を時計回り又は反時計回りに回動させて、突起部２１ｂを切欠部１３の真下に位置させた状態で発光灯２０を上方に引き上げて、カットコーン１０から外すことになる。
【考案の概要】
【考案が解決しようとする課題】
【００１０】
しかしながら、従来の発光灯２０をカットコーン１０から外す場合には、カットコーン１０の切欠部１３を見ながら発光灯２０を時計回り又は反時計回りに回動させて、突起部２１ｂを切欠部１３の下に位置させなければならないため、切欠部１３と突起部１２ｂの位置関係と回動させる方向とによっては、発光灯２０をほぼ１周回動させなければ突起部２１ｂが切欠部１３の下に来ないという事態が生ずることになる。換言すれば、カットコーン１０に装着されている従来の発光灯２０においては、突起部２１ｂがどこに位置しているのかを作業員が知ることができないために、素早く発光灯２０をカットコーン１０から外すことが出来ずに、発光灯２０とカットコーン１０との分離作業に作業員が手間取るという問題があった。
【００１１】
殊に、高速道路の工事現場の撤去作業のように、発光灯２０をカットコーン１０から外し、カットコーンだけを重ねて収納して作業車で次の撤去現場に向うという作業の場合には、この発光灯２０とカットコーン１０との分離作業の手間取りは、作業員の危険性を増加させてしまうという問題も生じさせてしまう。
【課題を解決するための手段】
【００１２】
以上の問題を解消するために、本考案は、道路の工事現場等に配置される円錐台形状のカットコーンであって、その頂面部の中央に円形の透孔部を有し且つ該透孔部の周囲の一部に切欠部が形成されているカットコーンの上部に装着される発光体および電源を内蔵したカットコーン用の発光灯において、該発光灯は、前記カットコーンの透孔部に嵌入可能な円柱状の挿入部と、該挿入部の上部に配設された当該円柱状の挿入部の径よりも大きい径を有する円柱状の露出部とから構成され、前記露出部または／および前記挿入部には外部に投光可能な発光部が配設され、前記円柱状の挿入部の側面の一部には前記カットコーンの切欠部に嵌入可能な突起部が形成され、前記発光灯を前記カットコーンに装着した際、前記挿入部の突起部の真上の位置にあたる位置の前記露出部の側面には目印部が配設されていることを特徴とするものである。ここで、前記目印部は、前記露出部の側面に配設された突起部によって形成されていてもよい。
【考案の効果】
【００１３】
本考案によれば、カットコーンに装着されている発光灯の挿入部の突起部の位置を外側から見て知ることができ、最短の回動動作によってカットコーンと発光灯との素早い分離作業を行なうことができる。
【図面の簡単な説明】
【００１４】
【図１】本考案の実施例１の構成を示す斜視図である。
【図２】本考案の実施例１の動作の説明図である。
【図３】本考案の実施例１の動作の説明図である。
【図４】本考案の実施例１の動作の説明図である。
【図５】発光灯が装着されているカットコーンの構成を示す斜視図である。
【図６】従来の発光灯の構成を示す斜視図である。
【図７】従来の発光灯の構成の説明図である。
【考案を実施するための形態】
【００１５】
以下、図面を用いて本考案の実施例を説明する。
【実施例１】
【００１６】
図１は本考案の実施例１の構成を示した斜視図であり、従来の発光灯の構成を示した図６と同一符号のものは同一のものを示しているので、その説明は省略する。
【００１７】
本実施例１が図６に示した従来の発光灯２０と異なっているところは、本実施例１の露出部２２の側面には目印部２２ｂが配設されているところである。
【００１８】
この目印部２２ｂは、図１に示したように、挿入部２１を下にしてカットコーンに装着した際に、挿入部２１の突起部２１ｂの真上の位置にあたる位置の露出部２２の側面に配設されている。
【００１９】
この目印部２２ｂの形態は、外側から視認できるような形態であればどのような形態であってもよい。例えば、挿入部２２の側面の色と異なる色のシールで、この目印部２２ｂを構成してもよい。本実施例１においては、周囲の側面に対して外側に突出するように形成されている突起部によってこの目印部２２ｂは構成されている。
【００２０】
以上のように構成された本実施例１に係る発光灯２０をカットコーンに装着する際には、図２に示すように、従来と同様に挿入部２１の突起部２１ｂの位置をカットコーン１０の切欠部１３の位置に合わせた状態で挿入部２１を透孔部１２に挿入して露出部２２を頂面板１１上に載置し、露出部２２を時計回り又は反時計回りに少し回転させて装着作業を終了する。
【００２１】
このようにカットコーン１０に装着されている本実施例１に係る発光灯２０をカットコーン１０から外す場合には、図３に示したように、カットコーン１０の切欠部１３が見えるような位置まで発光灯２０を持ち上げて、露出部２２の目印部２２ｂが切欠部１３の位置に来るように発光灯２０を回動させて、その状態で発光灯２０を上方に持ち上げれば、図４に示したように、挿入部２１の突起部２１ｂの位置が切欠部の位置と合っているので、発光灯２０をカットコーン１０から容易に分離することができる。
【００２２】
以上のように、本実施例１によれば、目印部２２ｂによって、挿入部２１の突起部２１ｂとカットコーン１０の切欠部１３の位置関係が外側から見て分かるので、従来に比して、発光灯２０をカットコーン１０から素早く分離することができる。
【符号の説明】
【００２３】
１０  カットコーン
１１  頂面部
１２  透孔部
１３  切欠部
２０  発光灯
２１  挿入部
２１ａ，２２ａ  発光部
２１ｂ  突起部
２２  露出部
２２ｂ  目印部
【図１】
0003198834.tif 000003
【図２】
0003198834.tif 000004
【図３】
0003198834.tif 000005
【図４】
0003198834.tif 000006
【図５】
0003198834.tif 000007
【図６】
0003198834.tif 000008
【図７】
0003198834.tif 000009